【手続補正書】
【提出日】平成18年3月7日(2006.3.7)
【手続補正１】
【補正対象書類名】明細書
【補正対象項目名】発明の名称
【補正方法】変更
【補正の内容】
【発明の名称】画像処理装置およびその方法
【手続補正２】
【補正対象書類名】明細書
【補正対象項目名】特許請求の範囲
【補正方法】変更
【補正の内容】
【特許請求の範囲】
【請求項１】
サンプリング位相が相互に異なる複数の第１の画像信号を撮像結果に応じて生成する画像入力手段と、
第１の画像信号を周波数領域に変換して複数の第２の画像信号を生成する変換手段と、
前記サンプリング位相に応じた複数の複素数を記憶する記憶手段と、
前記複数の第２の画像信号と、当該複数の第２の画像信号にそれぞれ対応する前記複数の複素数とを乗算し、当該乗算の結果を加算してエイリアシング成分が除去された第３の画像信号を生成する演算手段と
を有する画像処理装置。
【請求項２】
前記撮像手段は、単板式の色フィルタを透過した複数の色の光を、２次元上にマトリクス状に配列された複数の画素のうち対応する画素に結像させて前記複数の色の色データからなる前記第１の画像信号を生成し、
前記演算手段は、前記複数の色の色データ毎に前記乗算および前記加算を行って、前記複数の色にそれぞれ対応した複数の第４の画像信号を生成し、当該複数の第４の画像信号を用いて前記第３の画像信号を生成する
請求項１に記載の画像処理装置。
【請求項３】
前記複数の色のうち所定の一の色について、前記複数の第１の画像信号に含まれる当該色の色データのサンプリングパターンと、当該色の前記第４の画像信号に含まれる色データのサンプリングパターンとが相似形になるように、前記サンプリング位相を決定する
請求項２に記載の画像処理装置。
【請求項４】
前記演算手段は、
前記第２の画像信号を、前記サンプリング位相に応じて空間シフトする空間シフト手段と、
前記空間シフトされた前記複数の第２の画像信号と、当該複数の第２の画像信号にそれぞれ対応する前記複数の複素数とを乗算し、当該乗算の結果を加算してエイリアシング成分が除去された基本スペクトルを算出する基本スペクトル算出手段と、
前記基本スペクトルを周波数領域から時間領域に変換して前記第３の画像信号を生成する逆変換手段と
を有する請求項１に記載の画像処理装置。
【請求項５】
前記サンプリング位相が相互に異なる複数の第１の画像信号を撮像結果に応じて前記撮像手段が生成できるように、前記撮像手段を物理的、光学的または電気的に移動させる駆動手段
をさらに有する請求項１に記載の画像処理装置。
【請求項６】
前記撮像手段は、単板式のＣＣＤであり、
前記色フィルタは、原色フィルタまたは補色フィルタである
請求項２に記載の画像処理装置。
【請求項７】
サンプリング位相が相互に異なる複数の第１の画像信号を撮像結果に応じて入力する画像入力手段と、
前記複数の第１のデジタル信号を、所定位相だけ移相して第２のデジタル信号を生成する移相手段と、
前記サンプリング位相に応じた所定の複数の複素数の実部および虚部をそれぞれ示す複数の実数を記憶する記憶手段と、
前記第１のデジタル信号と当該第１のデジタル信号に対応する前記実部を示す実数とを乗算して第１の乗算結果を得て、前記第１のデジタル信号に対応する前記第２のデジタル信号と当該第２のデジタル信号に対応する前記虚部を示す実数とを乗算して第２の乗算結果を得て、前記第１の乗算結果と前記第２の乗算結果とを加算してエイリアシング成分が除去された第３のデジタル信号を生成する演算手段と
を有する画像処理装置。
【請求項８】
サンプリング位相が相互に異なる複数の第１の画像信号を撮像結果に応じて生成し、
第１の画像信号を周波数領域に変換して複数の第２の画像信号を生成し、
前記複数の第２の画像信号と、当該複数の第２の画像信号にそれぞれ対応する複数の複素数とを乗算し、当該乗算の結果を加算してエイリアシング成分が除去された第３の画像信号を生成する
画像処理方法。
【請求項９】
サンプリング位相に応じた所定の複数の複素数の実部および虚部をそれぞれ示す予め用意された複数の実数を用いて画像処理を行う画像処理方法であって、
サンプリング位相が相互に異なる複数の第１の画像信号を撮像結果に応じて生成し、
前記複数の第１のデジタル信号を、所定位相だけ移相して第２のデジタル信号を生成し、
前記第１のデジタル信号と当該第１のデジタル信号に対応する前記実部を示す実数とを乗算して第１の乗算結果を生成し、
前記第１のデジタル信号に対応する前記第２のデジタル信号と当該第２のデジタル信号に対応する前記虚部を示す実数とを乗算して第２の乗算結果を生成し、
前記第１の乗算結果と前記第２の乗算結果とを加算してエイリアシング成分が除去された第３のデジタル信号を生成する
画像処理方法。
【手続補正３】
【補正対象書類名】明細書
【補正対象項目名】０００１
【補正方法】変更
【補正の内容】
【０００１】
【発明の属する技術分野】
本発明は、予め決められたサンプリング位相差を持つ複数の画像を単板式撮像素子にて撮像して得られた画像信号を処理する画像処理装置およびその方法に関する。
【手続補正４】
【補正対象書類名】明細書
【補正対象項目名】０００６
【補正方法】変更
【補正の内容】
【０００６】
本発明は上述した従来技術の問題点に鑑みてなされ、カメラ信号処理部の処理を複雑化させることなく低解像度の画像から高解像度の画像を得ることができる画像処理装置およびその方法を提供することを目的とする。
【手続補正５】
【補正対象書類名】明細書
【補正対象項目名】０００７
【補正方法】変更
【補正の内容】
【０００７】
【課題を解決するための手段】
上述した従来技術の問題点を解決し、上述した目的を達成するために、本発明の信号処理装置は下記の構造を有する。
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】変更
【補正の内容】
【００１１】
本発明の画像処理装置は、サンプリング位相が相互に異なる複数の第１の画像信号を撮像結果に応じて生成する画像入力手段と、第１の画像信号を周波数領域に変換して複数の第２の画像信号を生成する変換手段と、前記サンプリング位相に応じた複数の複素数を記憶する記憶手段と、前記複数の第２の画像信号と、当該複数の第２の画像信号にそれぞれ対応する前記複数の複素数とを乗算し、当該乗算の結果を加算してエイリアシング成分が除去された第３の画像信号を生成する演算手段とを有する。
【手続補正１０】
【補正対象書類名】明細書
【補正対象項目名】００１２
【補正方法】変更
【補正の内容】
【００１２】
好ましくは、前記撮像手段は、単板式の色フィルタを透過した複数の色の光を、２次元上にマトリクス状に配列された複数の画素のうち対応する画素に結像させて前記複数の色の色データからなる前記第１の画像信号を生成し、前記演算手段は、前記複数の色の色データ毎に前記乗算および前記加算を行って、前記複数の色にそれぞれ対応した複数の第４の画像信号を生成し、当該複数の第４の画像信号を用いて前記第３の画像信号を生成する。
【手続補正１１】
【補正対象書類名】明細書
【補正対象項目名】００１３
【補正方法】変更
【補正の内容】
【００１３】
また、好ましくは、前記複数の色のうち所定の一の色について、前記複数の第１の画像信号に含まれる当該色の色データのサンプリングパターンと、当該色の前記第４の画像信号に含まれる色データのサンプリングパターンとが相似形になるように、前記サンプリング位相を決定する。
【手続補正１２】
【補正対象書類名】明細書
【補正対象項目名】００１４
【補正方法】変更
【補正の内容】
【００１４】
また、好ましくは、前記演算手段は、前記第２の画像信号を、前記サンプリング位相に応じて空間シフトする空間シフト手段と、前記空間シフトされた前記複数の第２の画像信号と、当該複数の第２の画像信号にそれぞれ対応する前記複数の複素数とを乗算し、当該乗算の結果を加算してエイリアシング成分が除去された基本スペクトルを算出する基本スペクトル算出手段と、前記基本スペクトルを周波数領域から時間領域に変換して前記第３の画像信号を生成する逆変換手段とを有する。
【手続補正１３】
【補正対象書類名】明細書
【補正対象項目名】００１５
【補正方法】変更
【補正の内容】
【００１５】
また、好ましくは、前記サンプリング位相が相互に異なる複数の第１の画像信号を撮像結果に応じて前記撮像手段が生成できるように、前記撮像手段を物理的、光学的または電気的に移動させる駆動手段をさらに有する。
【手続補正１４】
【補正対象書類名】明細書
【補正対象項目名】００１６
【補正方法】変更
【補正の内容】
【００１６】
また、好ましくは、前記撮像手段は、単板式のＣＣＤであり、前記色フィルタは、原色フィルタまたは補色フィルタである。
【手続補正１５】
【補正対象書類名】明細書
【補正対象項目名】００１７
【補正方法】変更
【補正の内容】
【００１７】
本発明の画像処理装置は、サンプリング位相が相互に異なる複数の第１の画像信号を撮像結果に応じて入力する画像入力手段と、前記複数の第１のデジタル信号を、所定位相だけ移相して第２のデジタル信号を生成する移相手段と、前記サンプリング位相に応じた所定の複数の複素数の実部および虚部をそれぞれ示す複数の実数を記憶する記憶手段と、前記第１のデジタル信号と当該第１のデジタル信号に対応する前記実部を示す実数とを乗算して第１の乗算結果を得て、前記第１のデジタル信号に対応する前記第２のデジタル信号と当該第２のデジタル信号に対応する前記虚部を示す実数とを乗算して第２の乗算結果を得て、前記第１の乗算結果と前記第２の乗算結果とを加算してエイリアシング成分が除去された第３のデジタル信号を生成する演算手段とを有する。
【手続補正１６】
【補正対象書類名】明細書
【補正対象項目名】００１８
【補正方法】削除
【補正の内容】
【手続補正１７】
【補正対象書類名】明細書
【補正対象項目名】００１９
【補正方法】削除
【補正の内容】
【手続補正１８】
【補正対象書類名】明細書
【補正対象項目名】００２０
【補正方法】変更
【補正の内容】
【００２０】
また、本発明の画像処理方法は、サンプリング位相が相互に異なる複数の第１の画像信号を撮像結果に応じて生成し、第１の画像信号を周波数領域に変換して複数の第２の画像信号を生成し、前記複数の第２の画像信号と、当該複数の第２の画像信号にそれぞれ対応する複数の複素数とを乗算し、当該乗算の結果を加算してエイリアシング成分が除去された第３の画像信号を生成する。
【手続補正１９】
【補正対象書類名】明細書
【補正対象項目名】００２１
【補正方法】削除
【補正の内容】
【手続補正２０】
【補正対象書類名】明細書
【補正対象項目名】００２２
【補正方法】削除
【補正の内容】
【手続補正２１】
【補正対象書類名】明細書
【補正対象項目名】００２３
【補正方法】変更
【補正の内容】
【００２３】
また、本発明の画像処理方法は、サンプリング位相に応じた所定の複数の複素数の実部および虚部をそれぞれ示す予め用意された複数の実数を用いて画像処理を行う画像処理方法であって、サンプリング位相が相互に異なる複数の第１の画像信号を撮像結果に応じて生成し、前記複数の第１のデジタル信号を、所定位相だけ移相して第２のデジタル信号を生成し、前記第１のデジタル信号と当該第１のデジタル信号に対応する前記実部を示す実数とを乗算して第１の乗算結果を生成し、前記第１のデジタル信号に対応する前記第２のデジタル信号と当該第２のデジタル信号に対応する前記虚部を示す実数とを乗算して第２の乗算結果を生成し、前記第１の乗算結果と前記第２の乗算結果とを加算してエイリアシング成分が除去された第３のデジタル信号を生成する。
【手続補正２２】
【補正対象書類名】明細書
【補正対象項目名】０１１６
【補正方法】変更
【補正の内容】
【０１１６】
【発明の効果】
以上説明したように、本発明の画像処理装置およびその方法によれば、簡単な処理で、低解像度の画像から高解像度の画像を得ることができる。